(57)【要約】【課題】  各種機器の本体と開閉扉との間にバール等が挿入されても、開閉扉の破壊を防止できると共に、紙幣挿入口からのバール等の挿入による破壊や、コイン投入口や釣銭取出し口からの雨水の侵入による開閉扉の破損を、比較的簡単に且つ確実に予防できるように工夫した開閉扉の補強機構を提供する。【解決手段】  機器本体１に開閉扉２を開閉自在に取付け、この開閉扉２のヒンジ部側角部２Ｇの内側に沿わせて金属製の補強材１２を設けることにより、バール等の挿入によるこじ開けに対して、ヒンジ部側角部２Ｇを内側から補強して、変形を防止する。【選択図】    図３
2008033719.tif 000002
【特許請求の範囲】
【請求項１】
駐車場内やその近辺、或いは、その他の施設等に設置して使用される各種機器類の開閉扉であって、
上記の開閉扉を、各種機器類の本体に対して上下２組のヒンジ部材を用いて開閉自在に取付けると共に、これら上下のヒンジ部材の間には、開閉扉のヒンジ部側角部の内側に沿わせた状態で、このヒンジ部側角部を内側から補強する補強材を設けたことを特徴とする開閉扉の補強機構。
【請求項２】
前記の補強材が金属製の丸棒、角棒、或いは、パイプの何れかによって構成され、更に前記上下のヒンジ部材の間には、上記補強材の外側に沿わせた状態で、且つ、この補強材と共に前記ヒンジ部側角部を内側から二重に補強する補強用フレーム板を設けたことを特徴とする請求項１に記載の開閉扉の補強機構。
【請求項３】
前記開閉扉を、金属板を加工して構成する一方、この開閉扉に紙幣挿入口を開口形成し、且つ、当該開閉扉の内側面には、紙幣通路口を開口形成した金属製の補強板を、前記紙幣挿入口に紙幣通路口を位置合わせした状態に重ね合わせて取付けると共に、この重ね合わせた金属製補強板の部分に紙幣リーダを据え付けたことを特徴とする請求項１又は２に記載の開閉扉の補強機構。
【請求項４】
前記開閉扉に少なくともコイン投入口と釣銭取出し口のいずれか一方又は両方を設け、これ等コイン投入口と釣銭取出し口のいずれか一方又は両方の内部下側部に雨水の排出孔を設けて、上記開閉扉の内側面には、各排出孔から落ちてくる雨水を、傾斜に沿って前記上下のヒンジ部材の間に設けられている前記補強用フレーム板に向けて斜め下方に流下させることができる樋部材を設けると共に、この樋部材の先端部を上記補強用フレーム板に開口形成した流入口に接続し、上記開閉扉の下部内側縁には、この流入口より補強用フレーム板の内側に入って流下してくる雨水を、開閉扉の下方に排出するための排水孔を設けたことを特徴とする請求項１、２又は３に記載の開閉扉の補強機構。
【発明の詳細な説明】
【技術分野】
【０００１】
本発明は、駐車場システムで使用される駐車料金精算機や、その他の施設等に設置される各種機器類に取付けて使用される開閉扉に関するものであって、具体的には、各種機器類の開閉扉に実施して好適な補強機構に関するものである。
【背景技術】
【０００２】
従来より、自動販売機の外扉を補強するための装置として、例えば、特許文献１に記載の自動販売機の外扉上部支持装置が存在し、また、駐車場システムの料金精算機を補強するための装置として、例えば、特許文献２に記載の駐車場料金精算機用プロテクタが存在する。    
【０００３】
上記特許文献１に記載の「自動販売機の外扉上部支持装置」は、自動販売機本体に開閉用の外扉を開閉自在に支持した装置であって、ヒンジピンに筒状部を被せ、これに抜け止めピンを挿入してヒンジピンを外すことができないように構成した装置である。また、上記特許文献２に記載の「駐車場料金精算機用プロテクタ」は、本体部と扉部との結合に長蝶番を用いることによって、駐車場料金精算機を破壊や盗難から防護するように構成したものである。
【特許文献１】特開２００２−２３０６３２号公報
【特許文献２】特開２００３−１５０９８８号公報
【発明の開示】
【発明が解決しようとする課題】
【０００４】
ところが、上記特許文献１に記載の「自動販売機の外扉上部支持装置」は、抜け止めピンを挿入することによってヒンジピンが抜けないようにしているものの、自動販売機の本体と開閉扉の外扉の間には隙間があるため、この隙間からバールのような道具を差し込んでこじ開けようとすると、外扉が変形して簡単に本体側から外れてしまうことがあり、充分な防犯効果を期待できない問題があった。
【０００５】
また、上記特許文献２に記載の「駐車場料金精算機用プロテクタ」は、長蝶番を使用している関係上、ヒンジ部を破壊するには、長蝶番を長手方向の複数箇所で切断しなくてはならないため、充分な防犯効果を期待できる利点を備えているが、反面、長い蝶番は特別製品となるので、製造価格が高く、且つ、製品の発注から入手までに可成りの時間を要するといった問題があり、手軽に利用できない問題があった。
【０００６】
本発明は上述した問題点を解決するために開発されたものであって、その技術的課題は、各種機器の本体と開閉扉との間にバール等が挿入されても、開閉扉の破壊を防止できると共に、紙幣挿入口からのバール等の挿入による破壊や、コイン投入口や釣銭取出し口からの雨水の侵入による開閉扉の破損を、比較的簡単に且つ確実に予防できるように工夫した開閉扉の補強機構を提供することである。
【課題を解決するための手段】
【０００７】
（１）  上記の技術的課題を解決するために、本発明の請求項１では、駐車場内やその近辺、或いは、その他の施設等に設置して使用される各種機器類の開閉扉であって、上記の開閉扉を、各種機器類の本体に対して上下２組のヒンジ部材を用いて開閉自在に取付けると共に、これら上下のヒンジ部材の間には、開閉扉のヒンジ部側角部の内側に沿わせた状態で、このヒンジ部側角部を内側から補強する補強材を設けたことを特徴としている。
【０００８】
（２）  また、本発明の請求項２では、前記の補強材が金属製の丸棒、角棒、或いは、パイプの何れかによって構成され、更に前記上下のヒンジ部材の間には、上記補強材の外側に沿わせた状態で、且つ、この補強材と共に前記ヒンジ部側角部を内側から二重に補強する補強用フレーム板を設けたことを特徴としている。
【０００９】
（３）  また、本発明の請求項３では、前記開閉扉を、金属板を加工して構成する一方、この開閉扉に紙幣挿入口を開口形成し、且つ、当該開閉扉の内側面には、紙幣通路口を開口形成した金属製の補強板を、前記紙幣挿入口に紙幣通路口を位置合わせした状態に重ね合わせて取付けると共に、この重ね合わせた金属製補強板の部分に紙幣リーダを据え付けたことを特徴としている。
【００１０】
（４）  更に、本発明の請求項４では、前記開閉扉に少なくともコイン投入口と釣銭取出し口のいずれか一方又は両方を設け、これ等コイン投入口と釣銭取出し口のいずれか一方又は両方の内部下側部に雨水の排出孔を設けて、上記開閉扉の内側面には、各排出孔から落ちてくる雨水を、傾斜に沿って前記上下のヒンジ部材の間に設けられている前記補強用フレーム板に向けて斜め下方に流下させることができる樋部材を設けると共に、この樋部材の先端部を上記補強用フレーム板に開口形成した流入口に接続し、上記開閉扉の下部内側縁には、この流入口より補強用フレーム板の内側に入って流下してくる雨水を、開閉扉の下方に排出するための排水孔を設けたことを特徴としている。
【００１１】
上記（１）で述べた請求項１に記載の手段によれば、上下のヒンジ部材の間に設けた補強材が、開閉扉のヒンジ部側角部を内側から補強するため、開閉扉のヒンジ部側角部と機器本体との隙間にバール等を挿入してこじ開けようとしても、上記のヒンジ部側角部の補強によって開閉扉を変形させることができないため、バール等の挿入による開閉扉の破壊を防止することができる。
【００１２】
上記（２）で述べた請求項２に記載の手段によれば、上記（１）で述べた補強材として、金属製の丸棒や角棒、或いは、パイプの何れかが使用されるため、バール等の挿入によるこじ開けから開閉扉を守ることができると共に、この補強材の外側に補強用フレーム板を沿設して、開閉扉のヒンジ部側角部を内側から補強材と補強用フレーム板によって二重に補強することができるため、開閉扉をより強固なものにすることができる。
【００１３】
上記（３）で述べた請求項３に記載の手段によれば、開閉扉が金属板を加工して構成され、更に、紙幣挿入口の内側には金属製補強板が重ね合わせて取付けられると共に、この金属製補強板に紙幣リーダが据え付けられているため、紙幣挿入口からバール等を差し込んでこじ開けようとしても、金属製補強板が紙幣挿入口を大きく広げて開口したり、紙幣リーダを破損するといった破壊行為から守ることができる。
【００１４】
上記（４）で述べた請求項４に記載の手段によれば、開閉扉に設けたコイン投入口或いは釣銭取出し口から雨水が浸入した場合には、侵入した雨水を開閉扉の補強を兼ねる樋部材が斜め下方に流下して、開閉扉の下部内側縁に設けた排水孔より外部に排水することができるため、これ等コイン投入口又は釣銭取出し口から侵入した雨水による錆の発生によって、開閉扉が破損したり内部装置類が故障したりする問題の発生を防止できると共に、上記開閉扉の補強を兼ねる樋部材により、雨水排出用チューブの取付けを不要にすることができる。
【発明の効果】
【００１５】
以上述べた次第で、本発明に係る開閉扉の補強機構によれば、バール等の挿入による開閉扉の破壊や、紙幣挿入口のこじ開けといった各種の破壊行為から開閉扉を守ることができるため、悪戯や売上金を狙った開閉扉の破壊を防止し、併せて、内部装置としての紙幣リーダの破損も防止できると共に、コイン投入口や釣銭取出し口からの雨水の浸入による開閉扉及び内部装置の破損や故障事故も防止して、各種機器類の安全で確実な作動を可能にすることができるものであって、例えば、屋外に設置される駐車場用自動料金精算機や、その他各種料金の精算機や券売機或いは入退場管理機等に実施して頗る好適なものである。
【発明を実施するための最良の形態】
【００１６】
以下に上述した本発明に係る開閉扉の補強機構の実施の形態を図面と共に説明すると、図１は本発明が実施された駐車場用自動料金精算機の外観を示した斜視図であって、図中、１は精算機の本体、２はこの本体１の前面に開閉自在に取付けた開閉扉、２Ａは開閉扉２の前面（表面）に取付けたパネル板であって、このパネル板２Ａの前面部には、料金やガイド等が表示される表示窓３と、駐車券（図示省略）やマネーカード等のカード差込用開口部４と、紙幣挿入口５と、コイン投入口６と、釣銭取出し口７が設けられ、更に、開閉扉２の前面下側部分には、開閉扉２を閉じた状態にロックすることができる開閉鍵８が設けられている。
【００１７】
図２は、上記の開閉扉２を開いた状態を示した駐車場用自動料金精算機の斜視図であって、図中、１Ｈは開口された本体１の内部、３Ｋと４Ｔはこの内部１Ｈの上側部分に取付けた表示装置とカードリーダで、図１のように開閉扉２を閉じた状態にすると、上記表示装置３Ｋの表示部３Ｔが開閉扉２の表示窓３の内側に合致し、また、上記カードリーダ４Ｔのカード差込み口４Ｈが開閉扉２のカード差込み用開口部４の内側に合致するように構成されている。
【００１８】
更に図中、５Ｓは図８に示した断面図の如く前記紙幣挿入口５に紙幣挿入通路５Ｈを位置合わせした状態で、上記開閉扉２の内側面（裏面）に取付けた紙幣リーダで、これ等開閉扉２の内側面と紙幣リーダ５Ｓの前面との間には、紙幣挿入口５のこじ開けや、紙幣リーダ５Ｓの破壊を防止する金属製の補強板１６が介在固定されている。図８において、１６Ｈは上記補強板１６に設けた紙幣通路口で、上記紙幣挿入口５に挿入された紙幣は、この紙幣通路口１６Ｈを通って紙幣リーダ５Ｓの紙幣挿入通路５Ｈに送り込まれて読みとられる仕組みに成っている。更に図８において５Ｅは紙幣リーダ５Ｓの支持台を示す。
【００１９】
また、前記図２において、６Ｋは前記コイン投入口６を前面に開口した状態で、上記開閉扉２の内側面に取付けたコイン受け入れ機、６Ｒは開閉扉２を閉じると、コイン受け入れ機６Ｋのコイン通路穴６Ｘに合致して、コイン投入口６に投入されたコインを受け入れるコイン通路口で、このコイン通路口６Ｒに入ったコインは、保護板６Ｓの裏側に設けられたコインメック（図示省略）に順次送り込まれる仕組みに成っている。
【００２０】
更に図２において、７Ｘは前記釣銭取出し口７に位置合わせした状態で、前記開閉扉２の内側面に取付けた釣銭払い出し機で、図７の断面図に示した釣銭払い出し部７Ａに対して必要とする釣銭が払い出されるように構成されている。また、８Ｖは前記開閉扉２の内側面に設けた前記開閉錠８の鍵フックを示す。
【００２１】
次に、上記本体１に対する開閉扉２の取付構造を上述した図２と、図３に示した分解斜視図の記載に従って説明すると、１０と１１は上記本体１における前面開口部の上下一側部分に取付けた上側ヒンジ部と下側ヒンジ部で、上記開閉扉２のヒンジ部側角部２Ｇの内側上下部分を、それぞれ上下のヒンジ軸１４，１５を用いて上記上下の各ヒンジ部１０，１１にヒンジすることにより、開閉扉２が上記本体１に対して開閉自在に取付けられている。
【００２２】
図３において、１２は図９に示した断面図に記載の如く、上記開閉扉２のヒンジ部側角部２Ｇの内側面に沿わせた状態で、上記上下のヒンジ軸１４，１５の間に設けた金属製の補強材で、図面には丸棒状のものが記載されているが、角棒状或いはパイプ状のものであってもよく、その形状は任意とする。
【００２３】
また、１３は上記の補強材１２と共に上記開閉扉２のヒンジ部側角部２Ｇの内側面に沿わせた状態で取付ける補強用の金属製フレーム板で、このフレーム板１３は、中央部材１３Ｙの両側縁部１３Ｘ，１３Ｚを異なる方向に直角に折り曲げた断面が略クランク形状に形成されていて、図９に示した断面図に記載されているように、前記金属製の補強材１２を外側から囲むように、上記開閉扉２のヒンジ部側角部２Ｇの内側に沿って取付けることにより、このヒンジ部側角部２Ｇを、上記金属製の補強材１２と共に内側から二重に補強して、バール等が挿入されても、開閉扉２のヒンジ部側角部２Ｇが変形されないように構成されている。
【００２４】
更に図３において、２Ｋ…は上記補強用の金属製補強材１２とフレーム板１３を、開閉扉２のヒンジ部側角部２Ｇの内側に安定した状態に保持固定せしめる上中下３個の台座、２２は開閉扉２の内側に設けたフック部材であって、このフック部材２２は、開閉扉２と本体１との間にバール等の道具類を差し込んでこじ開けようとした場合に、本体１側に設けたＬ部材（図示省略）に係合して、開閉扉２のこじ開けを防止するようにしたものである。
【００２５】
また、図４は上記開閉扉２の正面図、図５はその背面図であって、前述した図２と図３、及び、図５に示した背面図において、２０と２１は上記開閉扉２の内側面に、先端側を斜め下方に傾斜した状態に取付けた金属製又は合成樹脂製の雨水排水用の樋部材であって、上段の樋部材２０が、コイン投入口６からコイン受け入れ機６Ｋ内に入った雨水を排出するためのコイン部用樋部材であり、下段の樋部材２１が、釣銭取出し口７から釣銭払い出し機７Ｘ内に入った雨水を排出するための釣銭部用樋部材であって、これ等上下の樋部材２０と２１は開閉扉２の補強を兼ねている。
【００２６】
図６は、図４のＡ−Ａ線に沿ったコイン投入口６部分の拡大断面図、図７は、図４のＢ−Ｂ線に沿った釣銭取出し口７部分の拡大断面図、図８は、図４のＣ−Ｃ線に沿った紙幣挿入口５部分の拡大断面図、図９は図５のＤ−Ｄ線に沿ったヒンジ部側角部２Ｇ部分の拡大断面図であって、上述した上下の樋部材２０，２１は、上記図６、図７に示す如くコイン投入口６及び釣銭取出し口７から入って来る雨水を、傾斜に沿って効率良く外部に排出できるように構成されている。
【００２７】
即ち、図６に示すように、前記コイン受け入れ機６Ｋの前面に開口されているコイン投入口６の内底部には、コイン投入口６内に入った雨水を矢印ＲＬで示した雨水の流れの如く排出孔６Ａへ送り込むガイド板６Ｇが設けられ、且つ、コイン投入口６の底面部には、排出孔６Ａを通過した雨水を矢印ＲＬの如く下方の樋部材２０内に落し込むガイド室６Ｂと排水筒６Ｃが設けられている。
【００２８】
また、図７は示すように、前記釣銭取出し口７に位置合わせして取付けた釣銭払い出し機７Ｘの内底部には、払い出された釣銭の収容部７Ａが設けられ、この収容部７Ａの底板７Ｂには、釣銭取出し口７より入り込んだ雨水を、矢印ＲＬで示す流れの如く下側の排水室７Ｈを通して上記下段の樋部材２１内に送り込むことができる排水孔７Ｃ…が設けられている。尚、図７において７Ｒは常時バネ７Ｓの弾性によって釣銭取出し口７を内側から閉じた状態に支持される蓋板で、この蓋板７Ｒは手で押すと仮想線の状態に開く仕組みに成っている。
【００２９】
また、図２及び図３において、１３Ａと１３Ｂは上記補強用フレーム板１３の中央部材１３Ｙの部分に上下に間隔をあけて開口形成した雨水の流入口で、これ等上下の流入口１３Ａ，１３Ｂには前記上段と下段の各樋部材２０，２１の先端部２０Ａ，２１Ａが嵌め込まれていて、上記コイン投入口６及び釣銭取出し口７より侵入して各樋部材２０，２１に排水された雨水を、前記図９に示した断面図の如く、前記補強用フレーム板１３の取付けによって開閉扉２のヒンジ部側角部２Ｇの内側に形成される隙間、即ち、排水空間ＲＬＴに流し込んで、上記ヒンジ部側角部２Ｇの内側に沿って下方に排水できる仕組みに成っている。
【００３０】
尚、図９では上記コイン投入口６に通じる上段の樋部材２０の排水構造に付いてのみ説明しているが、上記釣銭取出し口７に通じる下段の樋部材２１に付いての排水構造は、図９に示したものと同一であるため省略する。また、図９に示した断面図において、１３Ｈは上記補強用フレーム板１３の取付けと、台座２Ｋの存在とによって、上記開閉扉２のヒンジ部側角部２Ｇの内側に沿って形成された前記補強材１２の収容室を示す。
【００３１】
また、図２及び図３において、２Ｘ…は上記開閉扉２の下端部内側面に張出し形成したフランジ部２Ｅの部分に設けた排水穴で、上記排水空間ＲＬＴに沿って流下して来る雨水はこのフランジ部２Ｅに受け止められ、次いで、ヒンジ側の排水穴２Ｘを通って外部に排出されるように構成されている。尚、図２において９は本体１の口縁部分に設けたバール挿入阻止材である。
【００３２】
以上説明した実施の形態では、本発明を駐車場の自動料金精算機に実施した構成に付いてのみ説明したが、本発明は、例えば、定期券や回数券等の販売機や、プリペードカード販売機といった、その他の各種機器類の開閉扉に実施可能であることは勿論である。
【図面の簡単な説明】
【００３３】
【図１】本発明に係る開閉扉の補強機構が実施されている駐車場用自動料金精算機の外観を示した斜視図。
【図２】本発明の実施例である駐車場用自動料金精算機の開閉扉を開いた状態を示した斜視図。
【図３】本発明の実施例である駐車場用自動料金精算機の開閉扉の裏面（内側面）と補強材の構成を説明した斜視図。
【図４】本発明の実施例である開閉扉の正面図。
【図５】本発明の実施例である開閉扉の背面図。
【図６】図４のＡ−Ａ線に沿った拡大断面図。
【図７】図４のＢ−Ｂ線に沿った拡大断面図。
【図８】図４のＣ−Ｃ線に沿った拡大断面図。
【図９】図５のＤ−Ｄ線に沿った拡大断面図。
【符号の説明】
【００３４】
１            機器本体
２            開閉扉
２Ｇ          ヒンジ部側角部
２Ｘ          排水孔
５            紙幣挿入口
５Ｓ          紙幣リーダ
６            コイン投入口
６Ａ          雨水の排出孔
７            釣銭取出し口
７Ｃ          雨水の排出孔
１０          上側ヒンジ部
１１          下側ヒンジ部
１２          補強材
１３          金属製フレーム板
１３Ａ，１３Ｂ            雨水の流入口
１６          金属製の補強板
１６Ｈ        紙幣通路口
２０，２１    樋部材
【図１】
2008033719.tif 000003
【図２】
2008033719.tif 000004
【図３】
2008033719.tif 000005
【図４】
2008033719.tif 000006
【図５】
2008033719.tif 000007
【図６】
2008033719.tif 000008
【図７】
2008033719.tif 000009
【図８】
2008033719.tif 000010
【図９】
2008033719.tif 000011